(57)【要約】      （修正有）【課題】カード保持者の特別な意思を記載する情報記載欄を改ざん不可とするとともに目視不可とした改ざん防止機能付きカードを提供する。【解決手段】  カード台紙１に設けたカード用基材２が、カード主体１０、剥離紙１１、粘着剤１２、透明樹脂フィルム１３、擬似接着樹脂１４、支持紙１５を順に積層したものである。カード主体１０は、裏面となる剥離紙１１との接合面にカード保持者の意思を記載する情報記載欄を設けるとともに、剥離紙１１の端部を帯状にカットし、カットされた部分はカード主体１０と透明樹脂フィルム１３を予め接着する。透明樹脂フィルム１３と擬似接着樹脂１４との間を擬似接着面１６に形成し、支持紙１５の表面に隠蔽効果がある迷彩模様印刷膜１７を形成する。迷彩模様印刷膜１７の印刷後に当該印刷インキの乾燥を速めるために照射するＵＶを通常よりも強く照射して擬似接着面１６の接着力を高める。【選択図】図３
0003167934.tif 000002
【実用新案登録請求の範囲】
【請求項１】
カード台紙（１）にカード用基材（２）が分離可能に設けられ、該カード用基材（２）は、カード主体（１０）、剥離紙（１１）、粘着剤（１２）、透明樹脂フィルム（１３）、擬似接着樹脂（１４）、支持紙（１５）が順に積層されたものであり、上記カード主体（１０）は、裏面となる上記剥離紙（１１）との接合面にカード保持者の情報並びに自筆署名をする情報記載欄（２０）を設けるとともに、上記剥離紙（１１）の端部を帯状にカットして上記透明樹脂フィルム（１３）に予め接着したものであり、上記透明樹脂フィルム（１３）と上記擬似接着樹脂（１４）との間を剥離可能で再接着不可とした擬似接着面（１６）に形成し、上記支持紙（１５）の表面に隠蔽効果がある迷彩模様印刷膜（１７）を形成し、上記迷彩模様印刷膜（１７）の印刷後に当該印刷インキの乾燥を速めるために照射するＵＶを通常よりも強く照射して上記擬似接着面（１６）の接着力を高めたことを特徴とする改ざん防止機能付きカード。
【請求項２】
カード主体（１０）が、健康保険証と臓器提供意思表示カードを兼用したものであり、表面に「健康保険被保険者証」の表題と氏名、住所、生年月日、保険証の番号などの記載欄を設け、裏面にカードが「臓器提供意思表示カード」であることの記載と提供する臓器を表示するとともに、カード用基材（２）を構成する各部材を当該カード主体の裏面に設けたことを特徴とする請求項１に記載の改ざん防止機能付きカード。
【請求項３】
カード用基材（２）は、カード台紙（１）に、マイクロカットと称するミシン目構造の極細切込み点線（４）によって連接されていることを特徴とする請求項１又は２に記載の防止機能付きカード。
【請求項４】
透明樹脂フィルム（１３）と支持紙（１５）は、カード台紙（１）に設けた極細切込み点線（４）を覆う大きさに形成されていることを特徴とする請求項１から３のいずれかに記載の防止機能付きカード。
【請求項５】
支持紙（１５）は、カード台紙（１）に貼着する時に、該支持紙（１５）の端部を帯状にカットしてめくり代を形成したことを特徴とする請求項１から４のいずれかに記載の防止機能付きカード。
【考案の詳細な説明】
【技術分野】
【０００１】
本考案は、改ざん防止機能付きカードに関しており、さらに詳しくは、カード保持者の特別な意思を記載した情報記載欄を改ざん不可とするとともに、当該情報記載欄を目視不可とした改ざん防止機能付きカードに関するものである。
【背景技術】
【０００２】
改ざん防止機能付きカードを代表するものとして「臓器提供意思表示カード」があり、従来から、カード保持者の意思を記載した情報記載欄を改ざん不可とするものは知られており、さらに、上記の情報記載欄を目視不可としたものも知られている。
【０００３】
本願考案者は、臓器提供意思表示カードと健康保険証を組み合わせたカードを開発し、カード保持者の意思を記載する情報記載欄にラミネート加工を施して当該情報記載欄を改ざん不可としたものを特許文献１により提案した。また、本願考案者は、特許文献１のカードを改良し、上記情報記載欄を改ざん不可とするだけでなく、目視不可としたものを特許文献２により提案した。
【０００４】
特許文献１に記載されたカードは、健康保険証に臓器提供意思表示カードが連接されたものであって、カード台紙（１）に、カード３枚分の大きさを有するカード用紙（２）を剥離可能で再接着不可に接着し、該カード用紙（２）が、カード表紙（１０）、カード裏紙（２０）、付加カード（３０）の三つに区画形成されており、このうち、カード表紙（１０）及びカード裏紙（２０）が「健康保険証」となり、付加カード（３０）が「臓器提供意思表示カード」となるものである。
【０００５】
上記付加カード（３０）には、特別情報記載欄（３１）を設けるとともに、カード用紙（２）の全面にプラスチックフィルム（６）を接着するものであるが、その際、上記特別情報記載欄（３１）となる面に、当該特別情報記載欄（３１）に相当する大きさの中間剥離紙（３３）を介在させた状態で上記プラスチックフィルム（６）を接着する。なお、特別情報記載欄（３１）は、臓器提供者が提供する臓器の種類を明確にするものであって、提供する臓器の種類を記載するとともに、本人自筆の署名欄、署名年月日などが設けられている。
【０００６】
臓器提供意思表示カードを作成するには、カード台紙（１）からカード用紙（２）を剥離し、次いでカード用紙（２）とプラスチックフィルム（６）との間に介在させた中間剥離紙（３３）を剥離して特別情報記載欄（３１）を露出し、当該特別情報記載欄（３１）に提供する臓器の種類を記載するとともに、提供者本人が自筆の署名をなし、さらに、署名年月日を記載してプラスチックフィルム（６）を元の位置に接着する。
【０００７】
臓器提供者は、カード上において、臓器提供の意思があること並びに提供する臓器の種類を明確にすることができるのであるが、特許文献１に記載された臓器提供意思表示カードは、提供する臓器の種類を記載した特別情報記載欄（３１）の記載面がラミネート加工されているので、改ざん不可になっているとは言え、当該情報記載欄の記載事項が第三者であっても読み取れる構造であるため、臓器提供の意思及び提供する臓器の種類などが他人に知られてしまうものであり、臓器提供者にとって必ずしも好ましいカードであるとは言えないものであった。
【０００８】
この点、改良された特許文献２に記載されたカードは、カード台紙（１）にカード２枚分の大きさを有するカード用紙材（２）を分離可能に設け、該カード用紙材（２）は二つ折りしてカード（１０）を形成するものであって、二つ折りされたカードの裏面に、中央折込み線（４）により区画された一方の部材に秘密情報記載欄（１３）を設け、他方の部材に接合部材積載層（１４）を設け、該接合部材積載層（１４）は、透明な２枚のプラスチックフィルム（１４１，１４２）を剥離可能で再接着不可に接着した擬似接着面（１４３）を備えており、上記秘密情報記載欄（１３）にカード保持者の秘密情報を記載したのち、当該秘密情報記載欄（１３）に上記接合部材積載層（１４）を接着してカードを形成するものである。
【０００９】
特許文献２において、カード（１０）が、健康保険証と臓器提供意思表示カードが併設されたものであって、二つ折りしたカードの表面に、中央折込み線（４）により区画された一方の部材を「健康保険被保険者証」の表題と保険証として必要な事項を、他方の部材を「臓器提供意思表示カード」の表題と必要事項を記載するものである。
【００１０】
改良されたカードは、臓器提供の意思と提供する臓器名を記載した秘密情報記載欄（１３）を二つ折りしたカードの内側に設けており、カード作成時に、秘密情報記載欄（１３）に必要事項を記載してカードを二つ折りにし、次いで当該記載欄を、剥離可能で再接着不可としたものであるから、通常は、秘密情報記載欄（１３）に記載された情報は目視不可の状態が維持される利点がある。
【００１１】
しかし、カードが健康保険証のように常時携帯するものにあっては、使用期間が長期間であることなども一因となり、カード使用中に擬似接着面が剥離するおそれがあることが判明した。このため、改良されたカードは、目視不可としていたカード保持者の情報が他人に知られてしまうおそれが懸念されるものであった。
【先行技術文献】
【特許文献】
【００１２】
【特許文献１】実用新案登録第３１４１１９１号公報
【特許文献２】実用新案登録第３１６１４４３号公報
【考案の概要】
【考案が解決しようとする課題】
【００１３】
本考案が解決しようとする課題は、カード保持者の特別な意思を記載する情報記載欄を改ざん不可とするとともに目視不可とした改ざん防止機能付きカードであって、上記情報記載欄を目視不可とする擬似接着面の接着力を高めることによって、カード使用中に当該擬似接着面が容易に剥離しないように改良した改ざん防止機能付きカードを提供することである。
【課題を解決するための手段】
【００１４】
解決手段の第１は、カード台紙にカード用基材が分離可能に設けられ、該カード用基材は、カード主体、剥離紙、粘着剤、透明樹脂フィルム、擬似接着樹脂、支持紙が順に積層されたものであり、上記カード主体は、裏面となる上記剥離紙との接合面にカード保持者の情報並びに自筆署名をする情報記載欄を設けるとともに、上記剥離紙の端部を帯状にカットして上記透明樹脂フィルムに予め接着したものであり、上記透明樹脂フィルムと上記擬似接着樹脂との間を剥離可能で再接着不可とした擬似接着面に形成し、上記支持紙の表面に隠蔽効果がある迷彩模様印刷膜を形成し、上記迷彩模様印刷膜の印刷後に当該印刷インキの乾燥を速めるために照射するＵＶを通常よりも強く照射して上記擬似接着面の接着力を高めたことを特徴とするものである。
【００１５】
解決手段の第２は、解決手段の第１において、カード主体が、健康保険証と臓器提供意思表示カードを兼用したものであって、表面に「健康保険被保険者証」の表題と氏名、住所、生年月日、保険証の番号などの記載欄を設け、裏面にカードが「臓器提供意思表示カード」であることの記載と提供する臓器を表示するとともに、カード用基材を構成する各部材を当該カード主体の裏面に設けたことを特徴とするものである。
【００１６】
解決手段の第３は、解決手段の第１又は２において、カード用基材が、カード台紙にマイクロカットと称するミシン目構造の極細切込み点線によって連接されていることを特徴とするものである。
【００１７】
解決手段の第４は、解決手段の第１から３のいずれかに記載において、透明樹脂フィルムと支持紙は、カード台紙に設けた極細切込み点線を覆う大きさに形成されていることを特徴とするものである。
【００１８】
解決手段の第５は、解決手段の第１から４のいずれかに記載において、支持紙は、カード台紙に貼着する時に、該支持紙の端部を帯状にカットしてめくり代を形成したことを特徴とするものである。
【考案の効果】
【００１９】
請求項１は、カード主体に記載したカード保持者の特別な意思を改ざん不可ならびに目視不可とするために、該カード主体に接着した透明樹脂フィルムと支持紙を擬似接着により剥離可能で再接着不可としたものにおいて、上記支持紙の表面に形成する迷彩模様印刷膜の印刷後に当該印刷インキの乾燥を速めるために照射するＵＶを通常よりも強く照射したものであるから、上記擬似接着面の接着力が高まるものであって、通常の使用態様で使用される限り、当該擬似接着面が容易に剥離するおそれがないことの効果を奏するものである。
【００２０】
請求項２は、カード主体が、健康保険証と臓器提供意思表示カードを兼用したものであるから、日常的に携帯する健康保険証に臓器提供の意思を記録できるので、カード保持者が死亡した時など迅速に臓器提供の意思を確認することができることの効果を奏するものである。
【００２１】
請求項３は、カード用基材が、カード台紙にマイクロカットと称するミシン目構造の極細切込み点線によって連接されているものであるから、カード台紙から分離したカード基材のカード周縁部の端面部が滑らかに形成されていることの効果をそうするものである。
【００２２】
請求項４は、透明樹脂フィルムと支持紙が、カード台紙に設けた極細切込み点線を覆う大きさに形成されているものであるから、カード用基材をカード台紙から分離した時、カード周縁部のサイズが一致しており、仕上がりがよいカードが得られることの効果を奏するものである。
【００２３】
請求項５は、支持紙をカード台紙に貼着する時に、該支持紙の端部を帯状にカットしたものであるから、カット部分が擬似接着面を剥離する時のめくり代となるものであって、支持紙の剥ぎ取り作業が容易となることの効果を奏するものである。
【図面の簡単な説明】
【００２４】
【図１】本考案に係る改ざん防止機能付きカードを作成するカード台紙の全体を示す表面図。
【図２】図１の裏面図。
【図３】図１のＡ−Ａ断面図。
【図４】カード台紙から切り離したカード用基材の縦断面図。
【図５】カード主体にカード保持者が自筆署名をする状態を示す縦断面図。
【図６】カード主体に記載されたカード保持者の意思を読み取り不可とした状態を示す縦断面図。
【図７】擬似接着面を分離してカード保持者の意思を読み取り可能とした状態を示す縦断面図。
【図８】カード主体の裏面図。
【考案を実施するための形態】
【００２５】
図１から図３において、１はカード台紙であって、平面視で右側にカード用基材２が分離可能に設けられ、左側にカード受取人の住所及び氏名をプリントする宛名表示欄３が設けられている。なお、カード用基材２は、カードの輪郭に沿って形成された極細切込み点線４によってカード台紙１に連接されている。
【００２６】
実施形態において、カード台紙１は、定形郵便の大きさに裁断することにより、窓付き封筒を使用してカード受取人に郵送することができるものである。
【００２７】
上記極細切込み点線４は、マイクロカットと称するミシン目構造であって、スリット（切離された部分）の長さが０．３５ｍｍ、タイ（繋がっている部分）の長さが０．１５ｍｍ程度に形成されているものである。なお、カード用基材２は、カード台紙１からから容易に分離できるものであり、また、分離された後のカード用基材２は、カード周縁部の端面部が滑らかに形成されている。
【００２８】
図４は、カード台紙から分離したカード用基材の縦断面図である。説明の都合上、図４から図７において、カード用基材はカード台紙から分離して裏返した状態を示している。なお、これらの図において左端部が完成したカードの上端部となるものである。
【００２９】
カード用基材２は、カード主体１０を有し、該カード主体１０の上面（この面はカードの裏面に相当する）に、剥離紙１１、粘着剤１２、透明樹脂フィルム１３、擬似接着樹脂１４、支持紙１５を順に積層したものである。
【００３０】
ここで、剥離紙１１は、図面上で左端部分が帯状にカットされており、剥離紙１１がカットされた部分は、カード主体１０と透明樹脂フィルム１３が粘着剤１２を介して剥離不可に接着されている。また、透明樹脂フィルム１３と擬似接着樹脂１４の接着面は、いわゆる擬似接着面１６を構成して接着されており、当該接着面が剥離可能で再接着不可に形成されている。
【００３１】
図２を参照して、上記支持紙１５の表面に隠蔽効果がある迷彩模様印刷膜１７が形成されている。迷彩模様印刷膜１７は、カード台紙１に上記した各構成部材を積層した後、カードに必要な事項の印刷時にこれらと共に印刷するものであるが、印刷インキの乾燥を速めるために、印刷後にＵＶ（紫外線）照射を行っている。
【００３２】
印刷インキの乾燥を速めるために印刷後にＵＶ照射を行うことは知られているが、本考案では、迷彩模様印刷膜１７の印刷後に照射するＵＶを、通常よりも強く照射することにより、上記した擬似接着面１６の接着力を高めている。こうすることにより、本考案のカードは、通常の使用態様で使用される限り、擬似接着面１６が容易に剥離するおそれはないものとなっている。
【００３３】
なお、上記迷彩模様印刷膜１７は、支持紙１５の端部（図面において右端）に無印刷区域１７ａを設け、当該無印刷区域１７ａは、迷彩模様印刷をしない区域とするとともにＵＶ照射も行わないようにする。
【００３４】
上記透明樹脂フィルム１３と上記支持紙１５は、カード台紙１に設けた極細切込み点線４を覆う大きさに形成されている。
【００３５】
カード保持者が死亡した時など、カード保持者の特別な意思を確認する時は、支持紙１５と透明樹脂フィルム１３との間の擬似接着面１６を剥離する。この時、カード主体１０に接着されている支持紙１５の左端が帯状にカットされていると、当該支持紙１５をカード主体１から剥いで擬似接着面１６を剥離する作業が容易になる。
【００３６】
実施形態は、図２において、支持紙１５をカード台紙１に貼着する時に、支持紙１５の左端位置であって、無印刷区域１７ａの左端縁と極細切込み点線４の左側線の内側となる位置に、透明樹脂フィルム１３に達するスリット１８を形成している。なお、支持紙１５の無印刷区域１７ａは、支持紙１５を剥離する時のめくり代となるものである。
【００３７】
図中、２０はカード主体１０の裏面に設けられた情報記載欄、２１は情報記載欄２０に記載されたカード保持者の自筆署名である。
【００３８】
情報記載欄２０は、カード主体１０の裏面となる剥離紙１１との接合する面に設けられており、また、自筆署名２１は、カード主体１０との間に介在する剥離紙１１を剥離し、カード主体１０の情報記載欄２０にカード保持者の情報を記載した後に自筆により署名するものである。なお、署名後は、剥離紙１１を除去し、擬似接着面１６を備えた部材（透明樹脂フィルム１３，支持紙１５）を再びカード主体１０に貼着する。これにより、情報記載欄２０に記載したカード保持者の特別な意思が改ざん不可となる。
【実施例】
【００３９】
実施形態におけるカードは、健康保険証と臓器提供意思表示カードを兼用したものであり、カード主体１０の表面には、「健康保険被保険者証」の表題とともに、被保険者の氏名、生年月日、住所、保険証の有効期限、保険証の番号等を記載する。また、カード主体１０の裏面には、図８に示すように、このカードが「臓器提供意思表示カード」であることを表示するとともに、提供したい臓器の種類、臓器提供者本人の自筆署名欄、家族の自筆署名欄、署名年月日等の情報記載欄２０を設ける。
【００４０】
カード台紙１は、図１，２に示すように、カード用基材２が分離されていない状態でカードに必要な事項をプリントして、カード台紙１ごと受取人へ送付される。ここで、カード台紙１を受け取った受取人は、カード用基材２をカード台紙１から分離し、次いで、図４に示すように、カード主体１０と剥離紙１１の間を剥がし、カード主体１０の裏面に設けられている情報記載欄２０に、臓器提供の意思、提供したい臓器の種類などの情報を記載し、本人及び家族が自筆署名をするとともに署名した年月日を記載する。
【００４１】
ここで、提供したい臓器の意思表示は、例えば、臓器の種類を予め記載しておき、提供者が提供したい臓器に○印を付すものであってもよい。
【００４２】
カード主体１０に、臓器提供の意思並びに提供したい臓器が明確に表示されたら、粘着剤１２に接着されている剥離紙１１を除去し、支持紙１５とともに透明樹脂フィルム１３を当該カード主体１０に貼着する。この時点で、図６に示すように、カード主体１０に記載されたカード保持者の情報が、改ざん不可となるだけでなく目視不可となり、カードに記載されたカード保持者の特別な意思を読み取ることはできない。
【００４３】
カード保持者が死亡した時などの場合は、透明樹脂フィルム１３と支持紙１５を接着している擬似接着面１６を剥離すれば、カード主体１０に記載されたカード保持者の特別な意思を確認できる。図７に示すように、支持紙１５と透明樹脂フィルム１３との擬似接着面１６を剥離することにより、カード主体１０の情報記載欄に記載されたカード保持者の情報が透明樹脂フィルム１３を介して読み取ることができるようになる。
【００４４】
この場合、支持紙１５には、左端にスリット１８が形成されているから、該スリット１８から左端部を帯状にカットすれば、擬似接着面１６の剥離動作の目安になるので、支持紙１５を剥ぐ剥離作業が容易となる。
【００４５】
なお、擬似接着面１６は、剥離可能で再接着不可に形成されているから、当該部分を剥離した後に両者を再度接着することはできない。
【符号の説明】
【００４６】
１  カード台紙
２  カード用基材
３  宛名表示欄
４  極細切込み点線
１０  カード主体
１１  剥離紙
１２  粘着剤
１３  透明樹脂フィルム
１４  擬似接着樹脂
１５  支持紙
１６  擬似接着面
１７  迷彩模様印刷層
１８  スリット
２０  情報記載欄
２１  自筆署名
【図１】
0003167934.tif 000003
【図２】
0003167934.tif 000004
【図３】
0003167934.tif 000005
【図４】
0003167934.tif 000006
【図５】
0003167934.tif 000007
【図６】
0003167934.tif 000008
【図７】
0003167934.tif 000009
【図８】
0003167934.tif 000010